(57)【要約】      （修正有）【課題】梱包体の使用を避け、しかも積み重ね搬送して積載量を増やすことができる椅子の輸送方法及びこの輸送方法に用いる載置台を提供すること。【解決手段】トラック１の荷台２奥側より主脚部１３を有する載置台１２の上部に載置板を介して複数の椅子１０を載せ、下部に複数の椅子１０を収納させた状態で積載し、順次積載台１２を隣接させて同様に載置台１２の上下に多数の椅子１０を積載させることを繰り返して椅子を積み並べて輸送することで、非梱包状態の椅子１０を上下２段に順次積載するので、積載効率が良い。また、上方の椅子１０の重量は載置台１２に支えられるので、下の椅子１０に直接負荷となって作用することがない。【選択図】  図３
2004161030.tif 000002
【特許請求の範囲】
【請求項１】
複数の載置台の上下に非梱包状態の椅子を収納してトラック輸送する椅子の輸送方法であって、トラックの荷台奥側より脚部を有する載置台の上部に複数の椅子を載せ、下部に複数の椅子を収納させた状態で積載し、順次積載台を隣接させて同様に載置台の上下に多数の椅子を積載させることを繰り返して椅子を積み並べて輸送することを特徴とする椅子の輸送方法。
【請求項２】
前記椅子の支持脚を軟質シートで覆って載置台の上下に収納した請求項１に記載の椅子の輸送方法。
【請求項３】
トラックで非梱包状態の椅子を輸送する椅子の輸送方法に用いる載置台であって、前記載置台は上面に椅子が載置可能な載置板と、該載置板の下面に椅子を収納できる高さを有する脚部から成り、前記脚部は載置板の下面に折り畳まれるか着脱可能に設けられていることを特徴とする載置台。
【請求項４】
前記載置板は、格子状の水平フレームと該水平フレームに張設した軟質体とで構成されている請求項３に記載の載置台。
【請求項５】
前記載置台の脚部は、載置板４隅に設けた主脚部と４隅以外の補助脚部で構成されている請求項３または４に記載の載置台。
【発明の詳細な説明】
【０００１】
【発明の属する技術分野】
本発明は、複数の載置台の上下に非梱包状態の椅子を収納してトラック輸送する椅子の輸送方法及びこの輸送方法に用いる載置台に関する。なお本発明でいう非梱包状態の椅子とは、埃よけのために薄いビニール袋を被せたり、隣り合わせの椅子間に緩衝段ボール等を挟む物も含めるものとする。
【０００２】
【従来の技術】
従来、椅子をトラック輸送する場合、例えば緩衝機能を有する梱包用箱体（特許文献１，２参照）に詰め込んで、複数段に重ねて輸送していた。しかし近年、梱包用箱体は、使用後は嵩張るゴミ体としてとらえられ、環境問題の観点からも好ましいものではなかった。しかも梱包に時間や手間が掛かり、また梱包により無駄な空間部ができるので輸送効率も悪かった。最近では、梱包せずに極力裸の状態で運送して梱包材の廃棄処分量を少なくした特殊な運搬用梱包容器も開発されている（特許文献３参照）。
【０００３】
【特許文献１】
特開平７−７６３７４号公報（第２−３頁、第１図）
【特許文献２】
実用新案登録第３０１３６３４号公報（段落０００８，０００９，００１４から００１６、第１図）
【特許文献３】
実用新案登録第３００９３７６号公報（段落００１２、００１３、第１図）
【０００４】
【発明が解決しようとする課題】
しかしながら、特許文献３に記載のものは、裸搬送に近いが、廃棄梱包体を完全になくしたものではなく、しかも空間利用のために積み重ねて搬送する重ね搬送には不向きであった。
【０００５】
本発明は、このような状況に鑑みてなされたものであり、梱包体の使用を避け、しかも積み重ね搬送して積載量を増やすことができる椅子の輸送方法及びこの輸送方法に用いる載置台を提供することを目的とするものである。
【０００６】
【課題を解決するための手段】
上記課題を解決するために、本発明の椅子の輸送方法は、複数の載置台の上下に非梱包状態の椅子を収納してトラック輸送する椅子の輸送方法であって、トラックの荷台奥側より脚部を有する載置台の上部に複数の椅子を載せ、下部に複数の椅子を収納させた状態で積載し、順次積載台を隣接させて同様に載置台の上下に多数の椅子を積載させることを繰り返して椅子を積み並べて輸送することを特徴としている。
この特徴によれば、非梱包状態の椅子を上下２段に順次積載できるので、積載効率が良く、上方の椅子の重量は載置台に支えられるので、下の椅子に直接負荷となって作用することがない。
【０００７】
本発明の椅子の輸送方法において、前記椅子の支持脚を軟質シートで覆って載置台の上下に収納することが好ましい。
このようにすれば、キャスター等が付いている支持脚であっても回転が制限され、また、積載中に支持脚が他の椅子と接触しても、軟質シートで緩和される。
【０００８】
本発明の載置台は、トラックで非梱包状態の椅子を輸送する椅子の輸送方法に用いる載置台であって、前記載置台は上面に椅子が載置可能な載置板と、該載置板の下面に椅子を収納できる高さを有する脚部から成り、前記脚部は載置板の下面に折り畳まれるか着脱可能に設けられていることを特徴としている。
この特徴によれば、載置台で上方の椅子の重量を支持し、載置台の下方に椅子を収納できるので、効率の良い積載が可能であり、しかも脚部を折り畳むか取り外すことで載置台を平板状にできるので、椅子を積載しない場合に載置台をコンパクトに収納できる。
【０００９】
本発明の載置台において、前記載置板は、格子状の水平フレームと該水平フレームに張設した軟質体とで構成されていることが好ましい。
このようにすれば、軟質材の上に椅子が載ることで軟質材が若干撓み、積載板上での椅子の移動を拘束できる。
【００１０】
本発明の載置台において、前記載置台の脚部は、載置板４隅に設けた主脚部と４隅以外の補助脚部で構成されていることが好ましい。
このようにすれば、載置台に載せる椅子の重量が増加した場合に、補助脚部を追加使用することで載置台の安定化を図ることができる。
【００１１】
【発明の実施の形態】
以下、本発明の実施例を図面に基づいて説明する。
【００１２】
図１〜図３は本発明の一実施形態を示すもので、図１はトラックの荷台に複数の非梱包状態の椅子が収納載置された状態を示す正面図、図２の（ａ）はトラック荷台奥側に非梱包状態の椅子が載置台の上下に収納された状態を示す正面図、（ｂ）は（ａ）のＡ―Ａ断面図、図３の（ａ）はトラックの荷台に積み込まれた載置台に椅子を収容する手順の説明図、（ｂ）は椅子を収容した載置台の配置を示す説明図である。
【００１３】
最初に、本発明の椅子の輸送方法に係る実施形態に付き説明する。図１に示す符号２は例えば１１トン積の大型トラック１の箱形の荷台であって、この荷台２は、長手方向両側面の約中間分割部から上下に大きく開閉できる開閉扉４ａ、４ｂ及び５ａ、５ｂ（図２ｂ参照）を有している。
【００１４】
これら開閉扉は、屋根部の分割された幅方向中間にヒンジ体Ｈを介して左右両側の上方に開放できる上部扉４ａ、５ａと、荷台床面の幅方向両端に下方に開放できる下部扉４ｂ、５ｂとから構成されており、これら両開閉扉４ａ、４ｂ及び５ａ、５ｂを閉じることで箱形の荷台２は密閉される。
【００１５】
そこで、荷台２の内部に多数の非梱包状態の椅子１０を収納するにあたり、図２の（ａ）、（ｂ）に示すように、４隅に主脚部１３を持つ載置台１２が荷台２の奥側に積み込まれる。
【００１６】
本実施形態で使用される載置台１２は、全長がトラック１の荷台２の内部横幅に略等しく構成されていて、複数の主脚部１３の上端には後述する格子状の水平フレームが所定高さになるよう設けられている。
【００１７】
これらの主脚部１３は、格子状水平フレーム１６の下面に椅子１０を収納できる高さに構成されていて、長手方向の寸法は、図２（ｂ）に示すように、４台の椅子１０が収容できる長さで構成されている。４隅の主脚部１３では荷重を支えるのに不十分であれば、図４に示すように、更に、長手方向の略中間に補助脚部１８を着脱自在に設けるようにすることもできる。
【００１８】
ここで、載置台１２に収容される椅子１０は、例えば、椅子１０下方の支持脚に複数のキャスターを設けた構造の回転椅子であって、載置台１２は、横幅が椅子１０の最大横寸法である肘掛け幅より広く、長手寸法が４台の椅子を横向きに並べて収容できる長さに構成されているが、椅子の大きさとトラックの荷台の寸法を考慮して適宜変更することはいうまでもない。
【００１９】
そこで、複数台の椅子１０をトラック輸送するに際し、片側の上部扉４ａ、５ａが大きく開放されると、図２の（ａ）、（ｂ）に示すように、上記の載置台１２を荷台２の奥側（運転席側）から床面Ｆ上に載置した状態で、載置台１２の下面に４台の椅子１０を順次収納すると共に、載置台１２の格子状水平フレーム１６上面に張設した軟質材で構成される載置板としてのシート２４（図５参照）上にも４台の椅子１０を順次載置する。
【００２０】
そして、これらの椅子１０は、トラック輸送に際し、最終ユーザに届く過程で中継倉庫または集配所に一時的に保管されるので、汚れや損傷防止のために、薄いビニール袋等の軟質シートで構成されるカバー１５が被せられる。好ましくは、カバー１５を被せる際に支持脚のキャスターを覆うように被せれば、キャスター等が付いている支持脚であっても回転が制限され、また、積載中に支持脚が他の椅子と接触しても、カバー１５で緩和される。
【００２１】
このようにして、先に積み込まれた載置台１２の格子状水平フレーム１６の下面と上面に４台の椅子１０が順次収容されると、次の載置台１２の格子状水平フレーム１６が先に積み込まれた載置台１２の格子状水平フレーム１６当接するようにして隣接配置される。
【００２２】
この隣接配置された載置台１２の下面と上面に椅子を前と同様に順次収納積載し、これらの作業を繰り返すことで、図１に示すように、非梱包状態となる裸状態の複数の椅子１０がトラックの荷台２の内部全体に収納される。
【００２３】
尚、複数の椅子１０を並べて収納するに際し、互いに前後方向または横方向に隣接する椅子１０の間には、輸送時における椅子１０同士の相互の接触による擦り傷発生の防止のためのソフトフォーム、またはエアーバック或いは段ボールなどの保護板１４ｂ（図２ｂ参照）が介装され、同様に箱形荷台２内壁周囲の４面にも保護板１４ａ（図２ａ参照）、１４ｃ（図２ｂ参照）が介装される。
【００２４】
従って、上記の椅子の輸送方法によれば、複数台の椅子１０を非梱包状態で、トラック１の荷台２の奥側より主脚部１３を有する載置台１２の格子状水平フレーム１６上面、並びに格子状水平フレーム１６下面に収納させた状態で積載し、次に積載台を隣接させて同様に載置台１２の上下に多数の椅子１０を収納積載させることを繰り返して椅子１０を積み並べて輸送することにより、積載効率を向上させることができる。また、上方の椅子１０の重量は載置台１２の格子状水平フレーム１６に支えられるので、下の椅子１０に直接負荷となって作用することがない。
【００２５】
次に、本発明の載置台に付き図４〜図６を参照して説明する。
【００２６】
図４は載置台の要部斜視図、図５は載置台の格子状水平フレームに軟質材で構成されるシートを取付ける状態を示す説明図であり、図６は格子状水平フレーム上に張設されたシート上に椅子のキャスターが支持された状態を示す説明図である。
【００２７】
載置台１２の構成の概略は、上述した通りであるが、更に詳しくは、載置台１２の格子状の水平フレームで構成される格子状水平フレーム１６の前後両端には左右一対の主脚部となる脚体１３ａ、１３ｂが、ヒンジ２０を介して内側に折り畳み可能に設けられている。
【００２８】
また、格子状水平フレーム１６の長手方向略中間における幅方向左右には、下方を向く嵌合突出部２２ａ（一方のみ図示）を備えた一対の装着具２２が取付けられており、この嵌合突出部２２ａに対し、上端が嵌合可能に構成された補助脚部１８が着脱自在となっている。
【００２９】
従って、上記のように構成された載置台によれば、この載置台１２で上方の椅子１０の重量を支持し、載置台１２の下方に椅子１０を収納できるので、効率の良い積載が可能であり、しかも脚体１３ａ、１３ｂを折り畳むことで載置台１２を平板状にできるので、椅子１０を積載しない場合には載置台１２をコンパクトに収納し、保管することができる。
【００３０】
また、上記載置台１２は、複数の脚体１３ａ、１３ｂに加え、着脱自在の補助脚部１８が設けられているので、例えば載置台１２に載せる椅子１０の重量が増加した場合に、補助脚部１８を追加使用することで載置台１２の安定化を図ることができる。
【００３１】
次に、図５に示すように、載置台１２の格子状水平フレーム１６全面に張設されるシート２４は、軟質材として布やゴムシートで矩形状に形成されており、その各周辺には、格子状水平フレーム１６を構成するパイプに巻回保持するための柔軟で丈夫な保持ベルト２５ａ、２５ｂの一端が取付けられ、これら保持ベルト２５ａ、２５ｂの他端にはそれぞれ図示しない止め具が設けられている。
【００３２】
また、図６に示すように、格子状水平フレーム１６上の所定の強度を備えたシート２４は、所定の張力で四方に向けて強く張設されているので、椅子１０の重量を容易に支えることができると共に、シート２４が軟質体で構成されていることから椅子１０を載置した際にはキャスター２６の支持部に若干撓みが生じ、シート２４上での椅子の移動を拘束できる。
【００３３】
図５で示した実施例の如く、本発明の椅子を支持する載置板は、格子状水平フレーム１６とシート２４で構成したものを使用しているが、特にこれに限定されるものではなく、単なる板状の天板であってもよい。
【００３４】
【発明の効果】
本発明は以下の効果を奏する。
【００３５】
（ａ）請求項１項の発明によれば、非梱包状態の椅子を上下２段に順次積載できるので、積載効率が良く、上方の椅子の重量は載置台に支えられるので、下の椅子に直接負荷となって作用することがない。
【００３６】
（ｂ）請求項２項の発明によれば、キャスター等が付いている支持脚であっても回転が制限され、また、積載中に支持脚が他の椅子と接触しても、軟質シートで緩和される。
【００３７】
（ｃ）請求項３項の発明によれば、載置台で上方の椅子の重量を支持し、載置台の下方に椅子を収納できるので、効率の良い積載が可能であり、しかも脚部を折り畳むか取り外すことで載置台を平板状にできるので、椅子を積載しない場合に載置台をコンパクトに収納できる。
【００３８】
（ｄ）請求項４項の発明によれば、軟質材の上に椅子が載ることで軟質材が若干撓み、積載板上での椅子の移動を拘束できる。
【００３９】
（ｅ）請求項５項の発明によれば、載置台に載せる椅子の重量が増加した場合に、補助脚部を追加使用することで載置台の安定化を図ることができる。
【図面の簡単な説明】
【図１】本発明の一実施形態に係るトラックの荷台に複数の非梱包状態の椅子が収納載置された状態を示す正面図である。
【図２】（ａ）はトラック荷台奥側に非梱包状態の椅子が載置台の上下に収納された状態を示す正面図、（ｂ）は（ａ）のＡ―Ａ断面図である。
【図３】（ａ）はトラックの荷台に積み込まれた載置台に椅子を収容する手順の説明図、（ｂ）は椅子を収容した載置台の配置を示す説明図である。
【図４】載置台の要部斜視図である。
【図５】載置台の格子状水平フレームに軟質材で構成されるシートを取付ける状態を示す説明図である。
【図６】格子状水平フレーム上に張設されたシート上に椅子のキャスタが支持された状態を示す説明図である。
【符号の説明】
１                    トラック
２                    荷台
４ａ、５ａ            上部扉
４ｂ、５ｂ            下部扉
１０                  椅子
１２                  載置台
１３                  主脚部
１３ａ、１３ｂ        脚体
１４ａ、１４ｂ        保護板
１４ｃ                保護板
１５                  カバー
１６                  格子状水平フレーム
１８                  補助脚部
２０                  ヒンジ
２２                  装着具
２２ａ                嵌合突出部
２４                  シート
２５ａ、２５ｂ        保持ベルト
２６                  キャスター
Ｆ                    床面
Ｈ                    ヒンジ部
【図１】
2004161030.tif 000003
【図２】
2004161030.tif 000004
【図３】
2004161030.tif 000005
【図４】
2004161030.tif 000006
【図５】
2004161030.tif 000007
【図６】
2004161030.tif 000008